(57)【要約】【課題】流下規制装飾部材のデザイン性を損わずに、流下規制装飾部材同士を隣り合わせに配置することが可能な遊技機の提供を目的とする。【解決手段】本発明のパチンコ遊技機１０は、遊技性の異なるパチンコ遊技機１０Ｖの表示装飾枠２３Ｖの基本デザインを流用した表示装飾枠２３を用い、その表示装飾枠２３の右上部隣に補助部材７０を配置することで右打ちを行った際に遊技球をスムーズに遊技領域Ｒ１の右側上部に到達させる構成とした。また、表示装飾枠２３のうち補助部材７０と隣り合う位置に設けられた取付突片を遊技盤１１の前面から離して配置して、補助部材７０の前面の一部に重ね合わされるダミー突片８５としたことで、他のパチンコ遊技機１０Ｖの表示装飾枠２３Ｖにおける輪郭形状のデザイン性を損わずに表示装飾枠２３と補助部材７０とを隣り合わせに配置することができる。【選択図】図４
2014068688.tif 000002
【特許請求の範囲】
【請求項１】
遊技球が流下する遊技領域を前面に備えた遊技盤と、
前記遊技領域内に配置されて前記遊技盤の前面に固定され、遊技球の流下方向を規制する流下規制装飾部材とを有した遊技機において、
前記流下規制装飾部材として、前記遊技領域内に隣り合わせに配置された第１と第２の流下規制装飾部材が備えられ、
前記第１の流下規制装飾部材には、少なくとも遊技球１球分、前記遊技盤の前面から突出した流下規制本体部と、前記流下規制本体部の側面のうち前記遊技盤の前面側の縁部から側方に張り出した突片状をなし、前記遊技盤の前面に重ねて固定され、遊技球が前側を通過可能な第１の装飾突片と、前記流下規制本体部の側面のうち前記遊技盤の前面から離れた位置から側方に張り出した突片状をなし、前記第２の流下規制装飾部材の前面の一部に重ねて固定され、遊技球が前側を通過困難な第２の装飾突片とが備えられ、
前記第１の流下規制装飾部材が前記遊技盤と前記第２の流下装飾部材とに固定された際は、前記第１の装飾突片及び前記第２の装飾突片が前記遊技盤の前面側から視認可能に構成されていることを特徴とする遊技機。
【請求項２】
前記第１及び第２の装飾突片が、略左右対称に配置されたことを特徴とする請求項１に記載の遊技機。
【請求項３】
前記第１及び第２の装飾突片が、同形状であることを特徴とする請求項１又は２に記載の遊技機。
【発明の詳細な説明】
【技術分野】
【０００１】
本発明は、遊技球が流下する遊技領域を前面に備えた遊技盤に、遊技球の流下方向を規制する流下規制装飾部材を固定して備えた遊技機に関する。
【背景技術】
【０００２】
従来、この種の遊技機として、液晶画面を囲む表示装飾枠を流下規制装飾部材として備えたものが知られている。その表示装飾枠には、少なくとも遊技球１球分、遊技盤の前面から突出した流下規制本体部と、流下規制本体部の側面から側方に張り出した装飾突片とが備えられていて、装飾突片が遊技盤の前面に重ねられてビス止めされている（例えば、特許文献１参照）。
【先行技術文献】
【特許文献】
【０００３】
【特許文献１】特開２００６−１１０２６４号公報（図１，図５）
【発明の概要】
【発明が解決しようとする課題】
【０００４】
ところで、上記した表示装飾枠に代表される流下規制装飾部材は遊技者にとって目に入り易い位置に配置されるので、デザインには多くのコストが費やされる。また、新たな機種を開発する際に、デザインのコストを抑えるために、例えば、流下規制装飾部材の前面に施されるキャラクター等のデザインは変更しても、装飾突片をどの位置にどのような形状にして幾つ設ける等の輪郭形状の基本デザインを流用する場合がある。
【０００５】
ところが、輪郭形状の基本デザインを従来のものから流用した第１の流下規制装飾部材に対して隣り合わせに新たな第２の流下規制装飾部材を配置することで流下経路を変更する仕様の機種の場合に、従来では、第１の流下規制装飾部材のうち第２流下規制装飾部材と隣り合わせになる位置の装飾突片が排除されて第１の流下規制装飾部材のデザイン性が損なわれる事態が起こり得た。
【０００６】
本発明は、上記事情に鑑みてなされたもので、流下規制装飾部材のデザイン性を損わずに、流下規制装飾部材同士を隣り合わせに配置することが可能な遊技機の提供を目的とする。
【課題を解決するための手段】
【０００７】
上記目的を達成するためになされた請求項１の発明に係る遊技機は、遊技球が流下する遊技領域を前面に備えた遊技盤と、遊技領域内に配置されて遊技盤の前面に固定され、遊技球の流下方向を規制する流下規制装飾部材とを有した遊技機において、流下規制装飾部材として、遊技領域内に隣り合わせに配置された第１と第２の流下規制装飾部材が備えられ、第１の流下規制装飾部材には、少なくとも遊技球１球分、遊技盤の前面から突出した流下規制本体部と、流下規制本体部の側面のうち遊技盤の前面側の縁部から側方に張り出した突片状をなし、遊技盤の前面に重ねて固定され、遊技球が前側を通過可能な第１の装飾突片と、流下規制本体部の側面のうち遊技盤の前面から離れた位置から側方に張り出した突片状をなし、第２の流下規制装飾部材の前面の一部に重ねて固定され、遊技球が前側を通過困難な第２の装飾突片とが備えられ、第１の流下規制装飾部材が遊技盤と第２の流下装飾部材とに固定された際は、第１の装飾突片及び第２の装飾突片が遊技盤の前面側から視認可能に構成されているところに特徴を有する。
【０００８】
請求項２の発明は、請求項１に記載の遊技機において、第１及び第２の装飾突片が、略左右対称に配置されたところに特徴を有する。
【０００９】
請求項３の発明は、請求項１又は２に記載の遊技機において、第１及び第２の装飾突片が、同形状であるところに特徴を有する。
【発明の効果】
【００１０】
請求項１の遊技機では、第１の流下規制装飾部材における第１と第２の装飾突片のうち第１の装飾突片は遊技盤の前面に重ねて固定される一方、第２の装飾突片は遊技盤の前面から離して配置され、第２の流下規制装飾部材の前面の一部に重ねて固定されている。これにより、第１と第２の装飾突片が共に遊技盤の前面に重ねて固定される輪郭形状の基本デザインを有する流下規制装飾部材が存在しているときに、そのデザイン性を損わずに第１と第２の流下規制装飾部材を隣り合わせに配置することができる。
【００１１】
ここで、第１及び第２の装飾突片が、略左右対称に配置された場合（請求項２の発明）や、第１及び第２の装飾突片が、同形状である場合（請求項３の発明）には、第１及び第２の装飾突片のうちの一方の装飾突片が排除されたときに全体のバランスが欠落して、デザイン性の低下が大きくなるが、本願発明によれば、そのような事態を防ぐことができる。
【図面の簡単な説明】
【００１２】
【図１】本発明の一実施形態に係るパチンコ遊技機の正面図
【図２】遊技盤の正面図
【図３】表示装飾枠と補助部材の正面図
【図４】表示装飾枠の上面図
【図５】図２におけるＡ−Ａ切断面の断面図
【図６】他のパチンコ遊技機における遊技盤の正面図
【発明を実施するための形態】
【００１３】
以下、図１〜図６に基づいて、本発明を適用したパチンコ遊技機１０に係る一実施形態を説明する。なお、以下の説明において、遊技者がパチンコ遊技機１０と対向する方向を「前後方向」といい、パチンコ遊技機１０のうち遊技者と対向する面を「前面」、その反対側の面を「後面」ということとする。また、パチンコ遊技機１０を構成する各部位又は各部品の説明において「右側」とは、パチンコ遊技機１０の前面側からその各部位又は各部品を見た場合の右側をいい、その反対側を「左側」ということとする。
【００１４】
パチンコ遊技機１０の前面の中央部分にはガラス窓９５Ｗが設けられ、そのガラス窓９５Ｗを通して遊技領域Ｒ１が視認可能となっている。また、パチンコ遊技機１０の前面のうちガラス窓９５Ｗの上方には、１対のスピーカ３０，３０が設けられ、ガラス窓９５Ｗの下方には、上皿２７Ａ及び下皿２７Ｂが上下２段にして設けられている。
【００１５】
遊技領域Ｒ１は、図２に示した遊技盤１１の前面に備えられている。遊技盤１１は、全体が略四角形の平板状になっていて、遊技領域Ｒ１は、遊技盤１１の前面に取り付けたガイドレール１２によって囲まれ、全体が略円形になっている。また、遊技領域Ｒ１のうち左側上端寄り位置には、ガイドレール１２に遊技球進入口１２Ｋが設けられている。そして、パチンコ遊技機１０の前面右下に備えた操作ハンドル２８（図１参照）を回動操作すると、上皿２７Ａに貯留された遊技球が、順次、遊技球進入口１２Ｋから遊技領域Ｒ１内に打ち込まれ、操作ハンドル２８の回動操作量に応じて遊技球の打ち込み強度が変わる。また、遊技領域Ｒ１のうち、遊技球進入口１２Ｋと左右対称となる位置には、ガイドレール１２を段付き状に屈曲させて球受部１２Ｄが設けられ、遊技球進入口１２Ｋから比較的強く遊技領域Ｒ１に打ち込まれた遊技球が球受部１２Ｄに衝突するようになっている。
【００１６】
遊技領域Ｒ１の略中央には、表示装置１３を主要部としたセンター役物１３Ｙが備えられている。また、遊技領域Ｒ１のうちセンター役物１３Ｙの下方には、第１種始動入賞口１４Ａ、大入賞口１５及びアウト口１６が上から順に並べて設けられ、第１種始動入賞口１４Ａの両側方には、１対ずつの一般入賞口２０，２１が設けられている。さらには、遊技領域Ｒ１のうちセンター役物１３Ｙの右側方領域における上端寄り位置には、始動ゲート１８が設けられ、その始動ゲート１８の下方に第２種始動入賞口１４Ｂが設けられている。なお、遊技領域Ｒ１には、略全体に亘って複数の釘が起立している。
【００１７】
次に所要の各部位についてさらに詳説する。始動ゲート１８は、遊技球が１つずつ潜って通過可能な門形構造をなしている。一般入賞口２０，２１及び第１種始動入賞口１４Ａは、遊技盤１１の前面から突出した部材の上面を、遊技球が丁度１つ入球可能な大きさに開口させた、所謂、ポケット構造をなしている。第２種始動入賞口１４Ｂは、遊技盤１１の前面に開口し、その内側下面に沿って前後する図示しない可動舌片と、可動舌片に連動して第２種始動入賞口１４Ｂ内で回動する回動蓋とを備えている。そして、通常は、回動蓋にて第２種始動入賞口１４Ｂが閉じられかつ可動舌片が第２種始動入賞口１４Ｂ内で待避していて、後述する所定条件の成立により、回動蓋が開きかつ可動舌片が前方に突出して、流下してきた遊技球を可動舌片で受け止めて取り込むようになっている。
【００１８】
大入賞口１５は、横長の長方形状をなして遊技盤１１の前面に配置され、常には、可動扉１５Ｔにて閉塞されている。そして、後述する所定条件の成立により、可動扉１５Ｔが前側に倒れて大入賞口１５が開放し、可動扉１５Ｔをガイドにして大入賞口１５に遊技球が入賞可能になる。
【００１９】
また、上記した一般入賞口２０，２１、第１種及び第２種の始動入賞口１４Ａ，１４Ｂ、大入賞口１５に遊技球が入球する毎に所定複数の遊技球（賞球）が上皿２７Ａに払い出される。なお、始動ゲート１８内を遊技球が通過した場合には、賞球は払い出されない。
【００２０】
表示装置１３は、液晶モジュール（例えば、ＴＦＴ−ＬＣＤモジュール）であって、遊技盤１１に貫通形成された表示孔１１Ａの奥部に配置され、遊技盤１１の後面に固定された図示しない液晶支持部材に支持されている。また、遊技盤１１の前面のうち表示孔１１Ａの開口縁には、本発明の「第１の流下規制装飾部材」に相当する表示装飾枠２３と、本発明の「第２の流下規制装飾部材」に相当し、遊技球の流下方向を規制すると共に内部に備えたランプ等の点灯、消灯によって表示装置１３に表示される演出や装飾の補助が可能な補助部材７０が取り付けられ、表示装飾枠２３に備えた液晶表示窓２３Ｗを通して、表示装置１３の液晶画面１３Ｇが前方に臨んでいる。そして、これら表示装飾枠２３と補助部材７０と表示装置１３とから上記したセンター役物１３Ｙが構成されている。
【００２１】
図３に示すように、表示装飾枠２３は、前方から見て全体的に略左右対称になっている。また、図４に示すように、表示装飾枠２３の後側の一部が表示孔１１Ａ内に挿しこまれ、表示装飾枠２３の外側面に備えた段差面２３Ｇが遊技盤１１の前面に当接している。
【００２２】
詳細には、図３に示すように、表示装飾枠２３における液晶表示窓２３Ｗは、横長の略長方形になっていて、その液晶表示窓２３Ｗの両側の１対の枠側辺部２３Ｓ，２３Ｓは上下方向に延びている。表示装飾枠２３のうち液晶表示窓２３Ｗより上側の枠上辺部２３Ｊは、その下面が液晶表示窓２３Ｗの上辺に位置して略水平に延び、その上面が上方に向かって膨らんだ円弧状になっている。また、表示装飾枠２３のうち液晶表示窓２３Ｗより下側部分には、１対の枠側辺部２３Ｓ，２３Ｓの下端部の間を連絡しかつ第１始動入賞口１４Ａに向かって湾曲した形状の枠下辺部２３Ｄと、枠下辺部２３Ｄ及び１対の両枠側辺部２３Ｓ，２３Ｓの下端部の後面とに重ねて取り付けられた壁部４２とが備えられている。そして、壁部４２の上面が液晶表示窓２３Ｗの上辺に位置して略水平に延びている。
【００２３】
表示装飾枠２３のうち枠上辺部２３Ｊから両枠側辺部２３Ｓ，２３Ｓの上下方向における中間位置に亘る範囲は、ガラス窓９５Ｗ（図１参照）のガラス板９５Ｇに近接する位置まで前方に突出して進入規制突壁２３Ｋ（本発明の「流下規制本体部」に相当する）になっている（図５参照）。そして、この進入規制突壁２３Ｋにより、遊技球が表示装飾枠２３の上方及び両側方から内側に進入することを規制している。これに対し、枠下辺部２３Ｄの前面２３Ｆとガラス窓９５Ｗ（図１参照）のガラス板９５Ｇとの間には、遊技球が１つ通過する分の空間が設けられている。また、枠下辺部２３Ｄの上面における左端部には、ワープ管路４０が重ねて配置される一方、枠下辺部２３Ｄの上面における右端部には、入賞案内管路４１が重ねて配置されている。そして、枠下辺部２３Ｄの上面のうち左右の端部を除く全体が転動部３５になっている。
【００２４】
転動部３５は、その左右方向における中央位置の両側に２つの底部を有し、左右方向の両端部から各底部に向かって緩やかに下るように傾斜すると共に、２つの底部の間が上方に向かって僅かに膨出している。転動部３５の幅（前後方向の幅）は、遊技球が１つだけ収まる大きさをなし、転動部３５の前縁部からは、遊技球が転動部３５から前方に転落することを規制するための転落規制突条３５Ｔが突出している。その転落規制突条３５Ｔのうち転動部３５の２つの底部の前方部分が切除されて１対の前端転動排出部３５Ａ，３５Ａが形成され、それら前端転動排出部３５Ａ，３５Ａを通して遊技球が転動部３５から前方に転落するようになっている。
【００２５】
ワープ管路４０の上端部は、左側の枠側辺部２３Ｓの外側面のうち上下方向の下端寄り位置で左側方に向かって開口する一方、ワープ管路４０の下端部は、転動部３５の左右方向における中央に向かって開口している。そして、表示装飾枠２３の左側方を流下する遊技球がワープ管路４０に入球すると転動部３５上に案内されて転動部３５上を転動する。
【００２６】
入賞案内管路４１の上端部は、右側の枠側辺部２３Ｓの外側面のうち上下方向の下端寄り位置で右側方に向かって開口した第２種大入賞口１９になっている。一方、入賞案内管路４１の下端部は、壁部４２に接続されて、その壁部４２の後方の後述する流下抽選部５２に連通している。また、第２種大入賞口１９の下端部開口縁には、可動扉１９Ｔが回動可能に取り付けられ、図示しないソレノイドを駆動源にして第２種大入賞口１９が下端部を中心に回動し、第２種大入賞口１９を閉塞した閉姿勢と、その閉姿勢から略６０度外側に回動して開いた開姿勢とに切り替わるようになっている。
【００２７】
壁部４２は、転動部３５の後端部と直交した状態になって、転動部３５上の遊技球が後側に移動しないように規制している。また、壁部４２の右端部の後方には、流下抽選部５２が設けられ、壁部４２が部分的に透明になっていて、流下抽選部５２を表示装飾枠２３の前方から視認できる。流下抽選部５２のうち左下寄り位置には、上下方向延びた第１と第２の分岐通路５９Ａ，５９Ｂが左右方向に並べて設けられ、第２種大入賞口１９に入球した遊技球が流下抽選部５２に右上端部から左斜め下方に向かって転動して、第１又は第２の分岐通路５９Ａ，５９Ｂの何れかに入球するようになっている。そして、第１と第２の分岐通路５９Ａ，５９Ｂの何れを遊技球が通過した場合も、共に所定複数の遊技球が上皿２７Ａに払い出されるが、可動扉１９Ｔが１度開いてから閉じるまでの間に、第１分岐通路５９Ａに１つでも遊技球が入球すれば、遊技者にとって有利な特典が付与されるようになっている。
【００２８】
具体的には、以下の通りである。即ち、可動扉１９Ｔは通常閉じていて、その可動扉１９Ｔを開くには、第２種始動入賞口１４Ｂに遊技球を入球させる必要がある。しかしながら、その第２種始動入賞口１４Ｂは、上記した回動蓋によって通常は閉じられ可動舌片は第２種始動入賞口１４Ｂの奥部に待避している。即ち、第２種始動入賞口１４Ｂは、通常は、入球不能な状態になっている。その第２種始動入賞口１４Ｂを入球可能な状態にするには、始動ゲート１８に遊技球を通過させて、第２種始動入賞口１４Ｂを入球可能な状態にするか否かの当否判定をパチンコ遊技機１０に行わせる必要がある。ところが、通常の遊技状態では、始動ゲート１８に遊技球が通過して当りの当否判定結果を得ても、第２種始動入賞口１４Ｂは１秒未満の短時間しか入球可能な状態にならない、実質的に、第２種始動入賞口１４Ｂに遊技球が入球することはない。しかしながら、パチンコ遊技機１０が通常の遊技状態から第２種遊技実行可能状態に切り替わると、始動ゲート１８に遊技球が通過して当りの当否判定結果を得たときに、第２種始動入賞口１４Ｂが、数秒間に亘って入球可能な状態になる。その第２種遊技実行可能状態にするには、第１種始動入賞口１４Ａに遊技球を入球させて第１種大当り遊技を実行させる必要がある。
【００２９】
第１種始動入賞口１４Ａに遊技球が入球すると、「第１種大当り遊技」を行うか否かを決定する当否判定が行われ、その当否判定結果が表示画面１３Ｇに表示される。そして、当否判定結果が当りであると、第１種通常大当り遊技或いは第１種特別大当り遊技が実行され、可動扉１５Ｔが前側に倒れて大入賞口１５が開放し、入球可能な状態になる。ここで、可動扉１５Ｔが開放してから閉じるまでの間を「ラウンド」と称すると、１つのラウンドは、可動扉１５Ｔの開放時間が３０秒に達したか、又は、大入賞口１５に遊技球が１０個入球したかの何れかの終了条件が先に満たされた場合に終了する。また、「第１種通常大当り遊技」及び「第１種特別大当り遊技」は、最大で、例えば１６ラウンドまで継続される。
【００３０】
第１種通常大当り遊技が終了すると通常遊技状態に戻る一方、第１種特別大当り遊技が終了すると、パチンコ遊技機１０が、通常の遊技状態から第２種遊技実行可能状態に切り替わる。すると、上記したように始動ゲート１８に遊技球が通過して行われる当否判定の当否判定結果が当りであったときに、第２種始動入賞口１４Ｂが入球可能な状態になる。そして、第２種始動入賞口１４Ｂに遊技球が入球すると、「第２種小当り遊技」を行うか否かを決定する当否判定が行われ、その当否判定結果が表示画面１３Ｇに表示される。そして、その当否判定結果が当りであると、第２種小当り遊技が実行され、可動扉１９Ｔが前側に倒れて第２種大入賞口１９が入球可能な状態になる。また、第２種小当り遊技は、例えば、可動扉１９Ｔの開放時間が１．８秒に達した場合に終了する。そして、可動扉１９Ｔが一度開いてから閉じるまでの間に、第２種大入賞口１９の奧側の第１分岐通路５９Ａに１つでも遊技球が入球すれば、「第２種大当り遊技」が実行されると共に、第２種大当り遊技実行可能状態を継続するか否かの判定を受ける継続判定権という特典が遊技者に付与される。また、その継続判定権は、例えば、８０％以上の確率で当りになって第２種遊技実行可能状態が継続され、第２種遊技実行可能状態を継続させることで大量の賞球を遊技者は取得することができる。このため、このパチンコ遊技機１０の遊技内容を知っている遊技者は、通常の遊技状態では表示装飾枠２３の左側に遊技球を流下せるように操作ハンドル２８を操作する、所謂、左打ちを行い、第２種遊技実行可能状態になると、表示装飾枠２３の右側に遊技球を流下せるように操作ハンドル２８を操作する、所謂、右打ちを行う。
【００３１】
図２に示すように、上記した補助部材７０は、表示装飾枠２３における右上部隣に配置され、遊技者が右打ちを行った場合に、遊技球進入口１２Ｋから遊技領域Ｒ１に打ち出された遊技球を球受部１２Ｄへと案内するために設けられている。具体的には、補助部材７０は、図３に示すように、前面側から見ると、略一定幅をなして表示装飾枠２３の右上面に沿って円弧状に延びた円弧部７１の下端部に延設装飾部７２を延設してなる。また、円弧部７１の一端部は表示装飾枠２３の上面における左右方向の中心に配置されると共に、延設装飾部７２の下端部は進入規制突壁２３Ｋの下端寄り位置に配置され、円弧部７１の一端部から延設装飾部７２の下端部までに備えた接合面７０Ａが、表示装飾枠２３の外側面に対応した凹凸形状をなしている。そして、補助部材７０の接合面７０Ａの凹凸と表示装飾枠２３の外側面の凹凸とが重ねられた状態に接合されている。
【００３２】
また、補助部材７０の外側面のうち接合面７０Ａを除いた全体には、図５に示すように前後方向の中間位置に段差面７０Ｇが形成され、全体的に段差面７０Ｇより前側が後側に比べて側方に張り出している。そして、補助部材７０のうち段差面７０Ｇより後側が遊技盤１１の前面から表示孔１１Ａ内に挿しこまれかつ段差面７０Ｇが遊技盤１１の前面に当接し、補助部材７０の前面と進入規制突壁２３Ｋの前面（前面に張り出した方向の頂部）とが前後方向で略同じ位置に配置されている。
【００３３】
図２に示すように、円弧部７１には、ガイドレール１２の最上部の近傍位置から球受部１２Ｄの近傍位置に亘る部分に対して、遊技球が１つ通過する分のスペースをあけて平行に延びたガイド円弧面７１Ａが備えられている。また、円弧部７１のうち球受部１２Ｄから離れた側の端部には、表示装飾枠２３の上面からガイド円弧面７１Ａの一端部に向かって斜め右上方に延びたガイド傾斜面７１Ｂが備えられ、円弧部７１のうち球受部１２Ｄ側の端部には、球受部１２Ｄとの間に遊技球が１つ通過する分の間隔を開けてガイド垂直面７１Ｃが備えられている。そして、ガイド垂直面７１Ｃの下端部から延設装飾部７２の下端部に亘って波形形状の延設装飾部７２Ａが備えられている。
【００３４】
さて、図３に示すように表示装飾枠２３及び補助部材７０の外側面には、ビスにて遊技盤１１に固定するための取付突片が形成されている。具体的には、補助部材７０には、１対の取付突片７３，７３が備えられている。それら両取付突片７３，７３は、補助部材７０における段差面７０Ｇ側の縁部から側方に張り出し、三角形になっている。また、一方の取付突片７３がガイド傾斜面７１Ｂに配置され、他方の取付突片７３がガイド垂直面７１Ｃに配置されている。そして、各取付突片７３が遊技盤１１の前面に重ねられ、各取付突片７３の挿通孔７３Ａに挿通したビスにて遊技盤１１に固定されている。また、各取付突片７３の板厚は、遊技球が前方を通過できる程度の大きさをなし、取付突片７３の外縁部は、遊技球がスムーズに乗り上がるように面取されて遊技盤１１に固定可能に形成されている。
【００３５】
表示装飾枠２３には、下部、左側部、右側部、左上部の取付突片８１，８２，８３，８４が備えられて遊技盤１１の前面に重ねられている。それらのうち下部の取付突片８１は、下辺部２３Ｄ全体から側方に張り出し、複数の挿通孔８１Ａを有して複数のビスにて遊技盤１１に固定されている。また、左側部の取付突片８２は、左側の枠側辺部２３Ｓにおける上下方向の中間位置に配置され、右側部の取付突片８３は、右側の枠側辺部２３Ｓの下端寄り位置に配置されている。さらに、左上部の取付突片８４は、枠上辺部２３Ｊの左側上部に配置されている。そして、左側部、右側部、左上部の取付突片８２，８３，８４は、それぞれ１つずつの挿通孔８２Ａ，８３Ａ，８４Ａを有し、１つのビスにて遊技盤１１に固定されている。なお、何れの取付突片８１，８２，８３，８４も、補助部材７０の取付突片７３，７３と同様に、遊技球が前方を通過できる程度の板厚をなし、外縁部には遊技球がスムーズに乗り上がるように面取されて遊技盤１１に固定可能に形成されている。
【００３６】
ここで、左上部の取付突片８４は、本発明の「第１の装飾突片」に相当し、外縁部を凹凸形状にした装飾が施されている。そして、表示装飾枠２３には、その表示装飾枠２３を前方から見て上部の取付突片８４と左右対称となる位置に、本発明の「第２の装飾突片」に相当するダミー突片８５が備えられている。ダミー突片８５は、左上部の取付突片８４を左右対称にして挿通孔８４Ａを排除した形状をなしている。そして、ダミー突片８５は、図４に示すように左上部の取付突片８４より前方にずらして配置され、図５に示すように補助部材７０の前面に重ねられている。その補助部材７０の前面には、ダミー突片８５と同形状でダミー突片８５の板厚分の深さの突片受容部７０Ｘが形成されている。そして、ダミー突片８５が、突片受容部７０Ｘに受容されるようになっている。
【００３７】
本実施形態のパチンコ遊技機１０の構成に関する説明は以上である。次に、このパチンコ遊技機１０の作用効果について説明する。本実施形態のパチンコ遊技機１０は、上記した第１種大当り遊技のみを行うことができるパチンコ遊技機１０Ｖ（図６参照）との間で表示装飾枠２３の基本デザインを流用することができる。そのパチンコ遊技機１０Ｖは、以下の通りである。以下、パチンコ遊技機１０，１０Ｖを区別する場合には、パチンコ遊技機１０を「複合種パチンコ遊技機１０」といい、パチンコ遊技機１０Ｖを「第１種パチンコ遊技機１０Ｖ」という。
【００３８】
図６に示すように第１種パチンコ遊技機１０Ｖでは、遊技領域Ｒ１のうち表示装飾枠２３Ｖの左側の領域における上部に始動ゲート１８Ｖが配置され、第１種始動入賞口１４には、左右方向に開閉する１対の可動翼１４Ｇ，１４Ｇが備えられている。そして、始動ゲート１８Ｖを遊技球が通過すると、可動翼１４Ｇ，１４Ｇを開くか否かの当否判定を行う。また、第１種パチンコ遊技機１０Ｖの遊技領域Ｒ１のうち表示装飾枠２３Ｖの右側の領域には、複合種パチンコ遊技機１０の始動ゲート１８、第２種始動入賞口１４Ｂはなく、表示装飾枠２３Ｖに第２種大入賞口１９、可動扉１９Ｔ及び流下抽選部５２も備えられていない。さらに、第１種パチンコ遊技機１０Ｖでは、遊技領域Ｒ１のうち表示装飾枠２３Ｖに右上領域に補助部材７０はなく、表示孔１１Ａも表示装飾枠２３Ｖのみに対応した形状になっている。そして、遊技領域Ｒ１のうち表示装飾枠２３Ｖに右上領域には、複数の釘が備えられている。
【００３９】
また、第１種パチンコ遊技機１０Ｖの表示装飾枠２３Ｖと、複合種パチンコ遊技機１０の表示装飾枠２３とは、それらの前面に備えた図示しないキャラクターや文字等の詳細デザインは異なっているが、輪郭形状の基本デザインは共通している。即ち、第１種パチンコ遊技機１０Ｖの表示装飾枠２３Ｖには、下部、左側部、右側部、左上部、右上部の取付突片８１Ｖ，８２Ｖ，８３Ｖ，８４Ｖ，８５Ｖが備えられている。それらのうち右上部の取付突片８５Ｖを除く、下部、左側部、右側部、左上部の取付突片８１Ｖ，８２Ｖ，８３Ｖ，８４Ｖは、複合種パチンコ遊技機１０の表示装飾枠２３における下部、左側部、右側部、左上部の取付突片８１，８２，８３，８４と略同一になっている。また、右上部の取付突片８５Ｖは、左上部の取付突片８４Ｖと対称形状に設けられて挿通孔８５Ａを有し、ビスによって遊技盤１１に固定されている。
【００４０】
さて、上記した第１種パチンコ遊技機１０Ｖのように第１種大当り遊技のみを行うことができるパチンコ遊技機は広く普及しているので、例えば、第１種パチンコ遊技機１０Ｖが複合種パチンコ遊技機１０より先に存在している場合が多い。そのような場合、第１種パチンコ遊技機１０Ｖでは、所謂、右打ちして遊技球をスムーズに遊技領域Ｒ１の右側上部に到達させる必要がないが、複合種パチンコ遊技機１０のような右側の領域に始動ゲート１８等があり、右打ちが必要な場合（右打ち仕様の第１種パチンコ遊技機を含む）ではその必要がある。しかしながら、第１種パチンコ遊技機１０Ｖの表示装飾枠２３Ｖに単に補助部材７０を追加すると、表示装飾枠２３Ｖの右上部の取付突片８５Ｖを排除しなければならず、表示装飾枠２３の輪郭形状のバランスが悪くなり、表示装飾枠２３Ｖの輪郭形状の基本デザインを流用することができない。
【００４１】
これに対し、本実施形態のパチンコ遊技機１０では、右上部の取付突片８５Ｖに代えて設けたダミー突片８５を遊技盤１１の前面から離して配置し、補助部材７０の前面の一部に重ね合わされるようにしたことで、他のパチンコ遊技機１０Ｖの表示装飾枠２３Ｖにおける輪郭形状のデザイン性を損わずに表示装飾枠２３と補助部材７０とを隣り合わせに配置することができる。また、表示装飾枠２３と補助部材７０とを別部品にしたことで、例えば、表示装飾枠２３と補助部材７０とをそれぞれ複数種類を設けておき、それらの組み合わせにより複数種類のデザインを実現することもできる。さらに、同形状の取付突片８４とダミー突片８５とを略左右対称に配置することで、ダミー突片８５を遊技盤１１の前面から離して配置し、補助部材７０の前面の一部に重ね合わせたとしても、遊技者がパチンコ遊技機１０の前面側から見たときに、取付突片８４に対してダミー突片８５における前後方向のずれを認識し難くなっている。
【００４２】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４３】
（１）前記実施形態では、ダミー突片８５が補助部材７０に形成された突片受容部７０Ｘに受容される構成になっていたが、例えば、ダミー突片８５が補助部材７０の前面に重ねられる構成であってもよい。
【００４４】
（２）前記実施形態では、右打ちをした際に遊技球をスムーズに右側上部に到達させるために補助部材７０を配置したが、上記のような目的がなく、単にデザイン性を高める目的で補助部材７０を配置してもよい。
【符号の説明】
【００４５】
１０    パチンコ遊技機、複合種パチンコ遊技機
１０Ｖ    パチンコ遊技機、第１種パチンコ遊技機
１１    遊技盤
１３Ｙ    センター役物
２３    表示装飾枠（第１の流下規制装飾部材）
２３Ｖ    表示装飾枠
７０    補助部材（第２の流下規制装飾部材）
７０Ｘ    突片受容部
８４    取付突片（第１の装飾突片）
８５    ダミー突片（第２の装飾突片）
Ｒ１    遊技領域
【図１】
2014068688.tif 000003
【図２】
2014068688.tif 000004
【図３】
2014068688.tif 000005
【図４】
2014068688.tif 000006
【図５】
2014068688.tif 000007
【図６】
2014068688.tif 000008